(57)【特許請求の範囲】
【請求項１】
熱源機に連通するパイプを内蔵する２枚のパネルを有し、該２枚のパネルは、その間の空間を流れる気体に前記パイプを流れる流体が保有する熱量が投入される様に構成されていると共に、２枚のパネルに挟まれた空間と連通路を介して空調をするべき空間へ外部から空気が供給される様に構成されており、２枚のパネル間の空間に面する側にはペルチェ素子が被覆されており、空調をするべき空間側のパネルにおける空調をするべき空間側の表面には透光性材料が被覆されており、該透光性材料内を発光させる照明装置が設けられており、該照明装置はペルチェ素子で発電された電力により作動する様に構成されていることを特徴とする空調装置。
【請求項２】
熱源機に連通するパイプを内蔵する２枚のパネルを有し、該２枚のパネルは、その間の空間を流れる気体に前記パイプを流れる流体が保有する熱量が投入される様に構成されていると共に、２枚のパネルに挟まれた空間と連通路を介して空調をするべき空間へ外部から空気が供給される様に構成されており、２枚のパネル間の空間に面する側にはペルチェ素子が被覆されており、暖房時にはペルチェ素子で発電を行い、冷房時にはペルチェ素子に電流を供給して、前記２枚のパネル間を移動する空気を冷却する機能を有する制御装置を備えていることを特徴とする空調装置。
【発明の詳細な説明】
【技術分野】
【０００１】
本発明は空調装置に関する。より詳細には、本発明は、窓際や壁際に好適に設置することが出来る空調装置であって、暖房のみならず冷房に際しても、室内を効率的且つ均一に空調することが出来る空調装置に関する。
【背景技術】
【０００２】
空調装置として、種々のタイプのものが、従来より提案されている。
その様な公知の空調装置の一つとして、窓部に設置される空調装置であって、強いコールドドラフト（周辺雰囲気よりも低温の部分が存在する場合に、当該低温部分及びその近傍から発生する下降気流）を発生して、室内を好適に空調する空調装置が存在する（特許文献１）。
【０００３】
しかし、係る従来技術（特許文献１）では、コールドドラフトにより室内の均一な空調が妨げられる場合に有効な技術ではあるが、換気を考慮しながら室内を効率的且つ均一に空調することは考慮されていない。
また、外気と加熱源との温度差を、省エネルギーに役立てるという発想については、全く言及していない。
【特許文献１】特開２００６−２８４０９８号公報
【発明の開示】
【発明が解決しようとする課題】
【０００４】
本発明は上述した従来技術の問題点に鑑みて提案されたものであり、暖房時及び冷房時の双方において、室内を効率的且つ均一に空調（暖房及び冷房）することが出来て、しかも、外気と加熱源（或いは冷却源）との温度差を省エネルギーに役立てることが出来る空調装置の提供を目的としている。
【課題を解決するための手段】
【０００５】
本発明の空調装置（一体形ラジエーター）は、熱源機（１：温水及び／又は冷水の供給源）に連通するパイプ（熱源機1から供給される温水或いは冷水が流れるパイプＬａ、Ｌｂ）を内蔵する２枚のパネル（室内側パネル３及び壁側パネル４）を有し、該２枚のパネル（室内側パネル３及び壁側パネル４）は、その間の空間（室内側パネル３及び壁側パネル４に挟まれた空間Ｓ）を流れる気体に前記パイプ（熱源機1から供給される温水或いは冷水が流れるパイプＬａ、Ｌｂ）を流れる流体（温水或いは冷水）が保有する熱量（温熱或いは冷熱）が投入される様に構成されていると共に、２枚のパネル（室内側パネル３及び壁側パネル４）に挟まれた空間（Ｓ）と連通路（上下の給気口８１、８２）を介して空調をするべき空間（室内）へ外部から空気が供給される様に構成されており、２枚のパネル（室内側パネル３及び壁側パネル４）の間の空間（室内側パネル３及び壁側パネル４に挟まれた空間Ｓ）に面する側にはペルチェ素子３１が被覆されており、前記２枚のパネル（室内側パネル３及び壁側パネル４）の内、空調をするべき空間側（室内側）のパネル（室内側パネル３）における空調をするべき空間側（室内側）の表面には透光性材料（ガラス板５）が被覆されており、該透光性材料（ガラス板５）内を発光させる照明装置（間接照明６）が設けられており、該照明装置（間接照明６）はペルチェ素子（３１）で発電された電力により作動する様に構成されていることを特徴としている。
【０００８】
本発明の空調装置（一体形ラジエーター）は、熱源機（１：温水及び／又は冷水の供給源）に連通するパイプ（熱源機1から供給される温水或いは冷水が流れるパイプＬａ、Ｌｂ）を内蔵する２枚のパネル（室内側パネル３及び壁側パネル４）を有し、該２枚のパネル（室内側パネル３及び壁側パネル４）は、その間の空間（室内側パネル３及び壁側パネル４に挟まれた空間Ｓ）を流れる気体に前記パイプ（熱源機1から供給される温水或いは冷水が流れるパイプＬａ、Ｌｂ）を流れる流体（温水或いは冷水）が保有する熱量（温熱或いは冷熱）が投入される様に構成されていると共に、２枚のパネル（室内側パネル３及び壁側パネル４）に挟まれた空間（Ｓ）と連通路（上下の給気口８１、８２）を介して空調をするべき空間（室内）へ外部から空気が供給される様に構成されており、２枚のパネル（室内側パネル３及び壁側パネル４）の間の空間（室内側パネル３及び壁側パネル４に挟まれた空間Ｓ）に面する側にはペルチェ素子３１が被覆されており、暖房時にはペルチェ素子（３１）で発電を行い、冷房時にはペルチェ素子（３１）に電流を供給して、前記２枚のパネル（室内側パネル３及び壁側パネル４）間を移動する空気を冷却する機能を有する制御装置（ラジエーター用リモートコントローラ１０）を備えていることを特徴としている。
【発明の効果】
【０００９】
本発明において、前記２枚のパネル（室内側パネル３及び壁側パネル４）は空調をするべき空間と外部とを隔離する仕切り部分（壁８及び／又は窓）に配置され、該仕切り部分（壁８及び／又は窓）には前記連通路（上下の給気口８１、８２）が設けられており、一端が仕切り部分（８）に対して回動自在に支持され他端が前記２枚のパネル（室内側パネル３及び壁側パネル４）に取り付けられたロッド（パネル支持用アーム７）と、該ロッド（７）を回動する回転機構（回転軸９）とを有しているのが好ましい。
ここで、暖房時には前記２枚のパネル（室内側パネル３及び壁側パネル４）を回転機構（回転軸９）に対して下方に位置せしめ、冷房時には前記２枚のパネル（室内側パネル３及び壁側パネル４）を回転機構（回転軸９）に対して上方に位置せしめるのが好ましい。
【００１０】
また、本発明でペルチェ素子（３１）を設けることにより、ペルチェ素子（３１）がパネル（３、４）内の温水（或いは冷水）とパネル（３と４）間を流れる空気との温度差に晒されることにより、起電力を生じる。ペルチェ素子（３１）における当該起電力により、例えば夜間用の間接照明（６：請求項３）を作動する事が可能である。そして、ペルチェ素子（３１）の起電力を間接照明（６）等に利用する事により、省エネルギーの要請に応えることができる。
また、ペルチェ素子（３１）は、電流を流すと、電流を流す向きによって発熱或いは吸熱を行う性質がある。そのため、ペルチェ素子（３１）に電流を流す事により、パネル（３、４）間を流れる空気を加熱（ペルチェ素子３１を発熱）し、或いは、冷却（ペルチェ素子３１により吸熱）することができる。これにより、空調の補助を行う事もできる。
【００１１】
本発明において、一端が仕切り部分（８）に対して回動自在に支持され他端が前記２枚のパネル（室内側パネル３及び壁側パネル４）に取り付けられたロッド（パネル支持用アーム７）と、該ロッド（７）を回動する回転機構（回転軸９）とを有する様に構成すれば（請求項２）、暖房時には前記２枚のパネル（室内側パネル３及び壁側パネル４）を回転機構（回転軸９）に対して下方に位置せしめることにより、ドラフトにより自然対流が促進され、空調をするべき空間が効率良く、且つ、均一に加熱される。
一方、冷房時には前記２枚のパネル（室内側パネル３及び壁側パネル４）を回転機構（回転軸９）に対して上方に位置せしめれば、コールドドラフトにより自然対流が促進され、空調をするべき空間が効率良く、且つ、均一に冷却される。
【００１２】
また本発明において、パネル（室内側パネル３）における空調をするべき空間側（室内側）の表面には透光性材料（ガラス板５）が被覆されており、該透光性材料（ガラス板５）内を発光させる照明装置（間接照明６）が設けられており、該照明装置（間接照明６）はペルチェ素子（３１）で発電された電力により作動する様に構成されていれば（請求項３）、ペルチェ素子（３１）の起電力により照明装置（間接照明６）が作動するので、その分だけエネルギーの有効利用或いは省エネルギーが図られる。
【００１３】
さらに本発明において、暖房時にはペルチェ素子（３１）で発電を行い、冷房時にはペルチェ素子（３１）に電流を供給する様に構成すれば（請求項４）、パネルの冷水入り温度（室内側パネル３に供給される温水温度）と外気との温度差が比較的小さい冷房時にはペルチェ素子（３１）に電流を流して冷房の補助とし、パネルの温水入り温度と外気との間の温度差が比較的大きい暖房時にはペルチェ素子（３１）で発電することになる。
すなわち、ペルチェ素子（３１）が曝される温度差に起因して、ペルチェ素子（３１）で発電を行うのか（暖房時）、或いは、ペルチェ素子（３１）に電流を供給するのか（冷房時）を制御できるので、ペルチェ素子（３１）による発電と吸熱を効率的に行う事ができる。
【発明を実施するための最良の形態】
【００１４】
以下、添付図面を参照して、本発明の実施形態について説明する。
実施形態において、図１は、全体を符号１００で示す空調システムにおける空調装置（一体形ラジエーター２）を冷房装置として使用する場合を示し、図５は、空調装置（一体形ラジエーター２）を暖房装置として使用する場合を示している。
【００１５】
図１において、空調システム１００は、熱源機１と、一体型ラジエーター２と、ラジエーター用リモートコントローラ（リモコン）１０とを有している。熱源機１は、温水及び／又は冷水の供給源として構成されている。上述したように、図１は冷房装置として利用する場合を示しているので、熱源機１は冷水の供給源となっている。
一体型ラジエーターを構成するパネル３、４は、ラインＬｓ１を介して、リモコン１０と電気的に接続されている。また、リモコン１０と熱源機１とは、制御ラインＬｓ２によって接続されている。
【００１６】
一体型ラジエーター２は、位置を移動可能な態様（後述）で、室内５０の壁８の室内５０側壁面に取り付けられている。
上述した様に、一体型ラジエーター２は、室内側のパネル３と、壁側のパネル４とを有している。室内側パネル３と、壁側のパネル４とは、厚み方向（図１では左右方向）に平行に配置されて、所定の隙間Ｓを形成している。
室内側パネル３と壁側パネル４は、支持部材（明確には図示せず）により、一体に結合されている。ここで、図示しない支持部材は、熱源機１からの冷水（暖房時は温水）が流れるパイプ（後述する供給管Ｌｆ及び戻り管Ｌｒ）の一部を包含している。
【００１７】
室内側パネル３における壁側パネル側（図１では左側：室内側）の表面全面には、図４で示すように、化粧板として、透光性部材であるガラス板５が被覆されている。また、図１及び図４において、室内側のパネル３及びガラス板５の上端部には、間接照明用の照明装置６が取り付けられている。
間接照明６をパネル上方に配置し、室内側パネル３の表面にガラス板５を被覆させる事により、間接照明６からの光がガラス板５で拡散し、空調室内（図１において左側の空間）に落ち着いた雰囲気を醸し出すことができる。
【００１８】
明確には図示されていないが、化粧板を構成する板材５に、発光素子（光電素子）等を包含することが可能である。
或いは、化粧板を構成する板材（ガラス板）５の表面に、ガラス細工を施工して、ガラス板５の表面に微細な凹凸による装飾を形成して、空調室内（図１において左側の空間）の住居環境を向上することも可能である。
【００１９】
図１において、壁側パネル４における壁８側（図１では右側）の面に、パネル支持用アーム７が取り付けられている。
また、壁側パネル４における壁８側の表面は、断熱材４５で被覆されている。壁側パネル４の壁８側（図１では右側）を断熱材４５で被覆することにより、冷熱（暖房時であれば温熱）が壁８の外側（図１では右側）に伝熱して、外部（図１では壁８の右側の空間）へ拡散してしまう量が少なくなる。
【００２０】
例えば、図５で示す暖房時を例にして説明すると、壁側パネル４の壁８側（図１では右側）に断熱材４５を設ければ、断熱材４５を設けた側（壁８側：図１では右側）は断熱材４５により伝熱が遮断されるため温度が低下せず、室内側パネル３側との温度差は殆ど無くなる。そのため、室内側パネル３側から発生する熱（輻射熱）は、温度差がある室内５０側（図１では左側）に向う。すなわち、室内側パネル３側から発生する輻射熱は、温度差が少ない壁側パネル４側に向うよりも、温度差が大きい室内側（壁側パネル４の反対側：図１では左側）に向かうのである。
図１で示す冷房の場合も同様に、冷熱は温度差が大きい室内側（壁側パネル４の反対側：図１では左側）に向かう。
【００２１】
図１において、壁８には、パネル支持用アーム７の軸受部７１が設けられている。この軸受部７１には回転軸９が嵌合しており、回転軸９は壁８の室内側（図１では左側）表面に立設している。これにより、壁側パネル４を含む一体型ラジエーター２は、回転軸９を中心として、パネル支持用アーム７により回転可能になっている。
図示はしないが、回転軸をアーム７の壁８側（図１では右側）に設け、壁８側に軸受を設けても良い。
【００２２】
壁側パネル４及び断熱材４５の概略中央には通気孔４７が形成されており、壁８には給気口８１が形成されている。そして、壁側パネル４の通気孔４７と、壁８には給気口８１とは、図１で示す冷房時において整合する様に形成されている。
壁８には、給気口８２も形成されている。給気口８２は、図５で示す暖房時において、図５で示す暖房時において、壁側パネル４及び断熱材４５の通気孔４７と整合するように形成されている。
ここで、図５の暖房時には、一体型ラジエーター２は、図１の冷房時における位置から、回転軸９回りに１８０°回転した位置となる。
【００２３】
図２は、室内側パネル３における断面を示している。図２で示す断面には、冷水（図５の暖房時なら温水）が流れるパイプＬａが、室内側パネル３全域にわたって配置されている。
パイプＬａの一端Ｌａ１は、図３で示すパイプＬｂ（壁側パネル４に配置されているパイプ）の一端Ｌｂ１に接続されている。パイプＬａの他端Ｌａ２は、後述する供給管Ｌｆに接続されている。
【００２４】
図３は、壁側パネル４における断面を示している。図３で示す断面にも冷水（図５の暖房時なら温水）が流れるパイプＬｂが、壁側パネル４全域にわたって埋設されている。上述した通り、パイプＬｂの一端Ｌｂ１は、室内側パネル３のパイプＬａ（図２）の一端Ｌａ１に接続されている。パイプＬｂの他端Ｌｂ２は、後述する戻り管Ｌｒに接続されている。
【００２５】
明確には図示されていないが、室内側パネル３及び壁側パネル４において、熱源機１から供給される冷水（図５の暖房時では温水）が流れるパイプＬａ、Ｌｂ以外の空間には、蓄熱材が充填されている。
冷水（図５の暖房時では温水）が保有する冷熱（暖房時では温熱）を積極的に貯蔵して、貯蔵された熱を、室内側パネル３と壁側パネル４との間を流れる空気へ供給するためである。
ここで、蓄熱材は、ジェル状の水和物等が用いられるのが好適である。
【００２６】
図１において熱源機１には、供給管Ｌｆの一端と、戻り管Ｌｒの一端が接続されている。供給管Ｌｆは冷水（図５の暖房時では温水）を一体型ラジエーター２に供給するための配管であり、戻り管Ｌｒは冷水（図５の暖房時では温水）を一体型ラジエーター２から熱源機１に戻すための配管である。
前述したように、供給管Ｌｆの他端は室内側パネル３内のパイプＬａの他端Ｌａ２に接続され、戻り管Ｌｒの他端は壁側パネル４内のパイプＬｂの他端Ｌｂ２に接続されている。
【００２７】
図６は、室内側パネル３の壁側（図１における右側或いは壁８側）、すなわち壁側パネル４との隙間Ｓ側、の表面を示している。室内側パネル３の壁側表面には、ペルチェ素子３１が貼り付けられている。図６の例では、２０枚のペルチェ素子３１が貼り付けられている。
図６では明確に示していないが、全てのペルチェ素子３１は、前記ラインＬｓ１（図１参照）によって、リモコン１０及び図示しない電源と接続されている。
【００２８】
図７は、図６のＸ-Ｘ断面矢視を示している。図７において、各ペルチェ素子３１の表面側には複数のフィン３１ｆが形成されている。フィンを形成することによりペルチェ素子３１の表面積が増加し、ペルチェ素子３１の放熱量或いは熱吸収量を増加するためである。ペルチェ素子３１のフィン３１ｆの周囲は、コーティング材３２で被覆されており、結露水による腐食を防止している。
図示は省略しているが、壁側パネル４においても、隙間Ｓ側（図１の左側）の表面に、ペルチェ素子３１が貼り付けられている。そして、各ペルチェ素子３１の表面側には複数のフィン３１ｆが形成されている。
【００２９】
パネル３、４間にペルチェ素子３１を貼り付けることにより、冷房時（図１）には、パネル自体が低温（１０℃程度）で、パネル間が高温（外気温度：３０℃程度）であるため、温度差が発生し、起電力が生じる。
例えば、室内側パネル３のペルチェ素子３１で発生した起電力を、壁側パネル４のペルチェ素子に供給し、壁側パネル４のペルチェ素子によって壁側パネル４における熱を吸収して、冷房の補助作用を行うことが可能である。
また、室内側パネル３及び壁側パネル４におけるペルチェ素子３１における起電力を、間接照明の電源として利用することもできる。
【００３０】
図１において、パネル３、４の下方には、結露水の受け皿２０が設置されている。
受け皿２０の底部には、垂直管２１が受け皿２０と一体に形成されている。垂直管２１の下端には、水平管部２２が形成されている。水平管部２２は、給気口８２に設けたプラグ部材８３を貫通するように構成されている。水平管部２２の先端には図示しないホース等が接続可能であり、当該ホース等を介して、受け皿２０に溜まる結露水を室外（戸外）に排出できるように構成されている。
或いは、給気口８２は室外（図１では右側）に向かって下り勾配が形成し、水平管部２２の先端から排出された結露水が、給気口８２から壁８の外部へ排出できるように構成しても良い。
【００３１】
図１における矢印Ｆａｈは、室外からの空気の流れを示している。上述したように、図１の冷房運転では、室外からの空気は冷却されるため、室内側パネル３と壁側パネル４との隙間Ｓを下降している。
室外から給気口８１を経由して流入した空気（Ｆａｈ）は、壁側パネル４の通気口４７を通過し、室内側パネル３と壁側パネル４との隙間Ｓを下方に向かって流過し、室内５０に流入する。空気の流れＦａｈは、隙間Ｓを流過する際に、パネル３、４内のパイプＬａ、Ｌｂを流過する冷水が保有する冷熱によって冷却される。
一体型ラジエーター２によって冷やされた冷気が、空調するべき室内（図１において、ラジエーター２よりも左側の空間）に流入する。
【００３２】
図５を参照して、暖房時について説明する。
図５において、壁８に形成された給気口８１、８２には、それぞれ、給気ファン８９、８９が介装されている。図１では、給気ファン８９、８９の図示は省略している。
【００３３】
前述したように、一体型ラジエーター２は、図５で示す位置（暖房時の位置）は、図１で示す位置（冷房時の位置）に対して、１８０°回転した位置となっている。そして、壁側パネル４の通気口４７は、壁８の下側の給気口８２と整合した位置となっている。この際、給気口８１はシャッター８７によって閉塞されている。シャッター８７は、図５及び図９では図示の簡略化のため、点線で表現されている。なお図５及び図９において、下方の給気口８２のシャッター８７は開放状態となっているが、上方の給気口８１のシャッター８７は閉鎖状態となっている。
室外からの空気は、給気ファン８９によって、矢印（空気の流れ）Ｆａｃで示す様に、給気口８２及び通気口４７を経由して、パネル３、４間の隙間Ｓを垂直方向上方へ流過する。そして、隙間Ｓの上方端部から空調をするべき室内５０に流入する。
矢印Ｆａｃで示す空気は、隙間Ｓを流過する際に、パネル３、４内のパイプＬａ、Ｌｂを流過する温水が保有する熱が投入され、加熱して室内５０に流入する。
【００３４】
図８は、図１〜図７で示す実施形態の変形例を示している。ここで、図８は、冷房運転をしている状態を示している。
図８において、給気口８１にはフィルタ８５が設けられ、フィルタ８５は芳香材を包含している。そのため、外気がフィルタ８５、一体形ラジエーター２を介して空調するべき室内５０に流入した際に、フィルタ８５に包含された芳香材が除放する芳香を、室内５０に供給する。
明確には図示されていないが、フィルタ８５に活性炭を包含し、外気に含まれる異臭源となる異物を吸着、除去して、室内の空気を清浄化するように構成しても良い。これにより、室内環境が向上される。
【００３５】
図８で示すように、壁８の給気口８１、８２の各々にシャッター８７を設けることが可能である。シャッター８７（図８において、実線で示す下方のシャッター８７）を閉鎖することにより、空気を取り入れていない側の給気口（図８では下方の給気口８２）から、外気が流入しない様にするためである。この場合、外気を取り入れる側の給気口（図８では上方の給気口８１）のシャッター８７（図８において、点線で示す上方のシャッター８７）は開放して、冷却するべき外気の供給は確保する。
【００３６】
図８において、室内側パネル３と壁側パネル４との隙間Ｓの上方には、空気循環用のファン４０が設けられている。
ファン４０は、正転、逆転が可能であり、正転時には、室内側パネル３と壁側パネル４との隙間Ｓを流れる空気を下方へ降下し、逆転時には隙間Ｓを流れる空気を上方へ上昇させる。そして、暖房時（図示を省略）には加熱された空気を下方へ移動せしめ、冷房時（図８）には冷却された空気を上方へ移動させる様に回転する。これにより、加熱された空気（暖房時）或いは冷却された空気（冷房時）を、室内５０で良好に循環させることが出来る。すなわち、ファン４０により、暖房時には加熱された空気を一端下方へ降下せしめ、冷房時には冷却された空気を一端上方へ上昇させることにより、加熱或いは冷却された空気を、自然対流に比較して、より積極的に空調をするべき空間（室内空間５０）内で循環させることが出来る。
【００３７】
図８で示す変形例においても、室内側パネル３及び壁側パネル４の位置を、パネル支持用アーム７により、回転軸９に対して１８０°回動して、上下方向について移動することが可能である。
図８で示す様に、室内側パネル３及び壁側パネル４の位置が、回転軸９に対して上方にある場合は、冷房を行って、冷却された空気を一端上方へ上昇させるためことが好ましい。一方、図９で示す様に、室内側パネル３及び壁側パネル４の位置が、回転軸９に対して下方にある場合は、暖房を行って、加熱された空気を一端下方へ降下せしめるのが好ましい。
【００３８】
図９は、さらに別の変形例を示している。ここで、図９では、暖房運転時を示している。
図９において、一体型ラジエーター２の上方には、加湿用の水入れ６０が設置されている。この水入れ６０に水を入れて、暖房時において適宜蒸発させることにより、室内が乾燥し過ぎない様にするためである。
図９の変形例におけるそれ以外の構成及び作用効果は、図５と同様である。
【００３９】
図示の実施形態によれば、暖房の場合は、図５で示すように、室内側パネル３及び壁側パネル４を回転軸９に対して下側に位置させて、ドラフトにより加熱された暖気を上昇させる。
一方、冷房の場合は、図１で示すように、室内側パネル３及び壁側パネル４を回転軸９に対して上側に位置させて、コールドドラフトにより冷気を下降させる。
【００４０】
室内側パネル３の壁側パネル４側（図１では右側）の表面、壁側パネル４の室内側パネル３側（図１では左側）の表面には、図６で示したように、ペルチェ素子３１が貼着されている。
ペルチェ素子３１がパネル３、４内の温水（或いは冷水）とパネル３と４の間を流れる空気との温度差に晒されることにより、起電力が発生する。
その起電力を、夜間用の間接照明６を点灯に利用することにより、省エネルギーの要請に応えることができる。
【００４１】
ペルチェ素子３１には、電流を流すと発熱或いは吸熱を行う性質があり、ペルチェ素子３１に電流を流す事により、パネル３と４の間を流れる空気を加熱（ペルチェ素子３１を発熱）し、或いは、冷却（ペルチェ素子により吸熱）することができる。これにより、空調の補助を行う事もできる。
【００４２】
明確には図示されていないが、図示の実施形態に係る一体型ラジエーター２において、温水による暖房が不十分な場合には、図示しない電源からペルチェ素子３１に電流を流して発熱させ、パネル３と４の間を流れる空気を加熱することができる。
そして、冷水による冷房が不十分な場合には、図示しない電源からペルチェ素子３１に逆方向に電流を流して、パネル３と４の間を流れる空気から吸熱することができる。
【００４３】
これに加えて、室内側パネル３側に貼着されたペルチェ素子３１に対しては、電流を流して発熱（暖房）或いは吸熱（冷房）せしめて空調の補助を行う。一方、壁側パネル４に対しては、パネル３と４の間を流れる空気とパネル４に供給される温水（暖房時）或いは冷水（冷房時）との温度差により、ペルチェ素子３１で発電を行い、その発電電力を照明その他に利用することも可能である。
換言すれば、空調の補助に用いる室内側パネル３側に貼着されたペルチェ素子３１には電流を流し、発電に用いる壁側パネル４に貼着されたペルチェ素子３１は温度差に晒すのである。
「温度差」なる文言は、パネル３と４の間を流れる空気と、パネル４に供給される温水或いは冷水との温度差を意味している。
【００４４】
ここでペルチェ素子は、温度差があるほど発電効率が良好となる。そして、給気口８１を介してパネル３及び４間に供給される外気は一定の温度を保つ。換言すれば、パネルによる加熱或いは冷却を長時間行っても外気温度は一定である。そのため、ペルチェ素子３１の発電効率は一定に保たれる。
【００４５】
ここで、冷房時において、例えば、パネルの温水入り温度は１０℃前後であり、外気が３０℃前後であるとすれば、温度差（約２０℃）である。すなわち、大きな温度差は得られない。
一方、暖房時においては、温水入り温度は通常７０℃程度であり、外気が例えば１０℃であれば、温度差は約６０℃となり、比較的大きな温度差が得られる。
係る温度差を考慮すると、大きな温度差が得られる暖房時にはペルチェ素子３１で発電を行い、温度差が比較的小さい冷房時には、ペルチェ素子３１に電流を供給して、パネル３及び４間に供給される空気を冷却する補助を行わせる（冷房運転を補助する）のが好適である。
【００４６】
図示の実施形態によれば、給気口８１または８２から取り入れられた外気は、暖められ或いは冷やされて、空調をするべき室内５０に流入するため、空調室内５０を局所的に過剰に暖房したり、冷房したりすることが無い。そのため、人体にやさしい空調を実現することが出来る。
【００４７】
さらに、図示の実施形態は、機械要素が少ないため、装置全体が安価である。したがって、複数設置したとしても、建造物全体を空調する方式に比べて価格的に有利であり、故障の確率も低い。
【００４８】
図示の実施形態はあくまでも例示であり、本発明の技術的範囲を限定する趣旨の記述ではない旨を付記する。
【図面の簡単な説明】
【００４９】
【図１】本発明の実施形態の冷房時を示す部分断面側面図。
【図２】実施形態の室内側パネルを示す断面図。
【図３】実施形態の壁側パネルを示す断面図。
【図４】室内側パネルの室内側を示す表面図。
【図５】実施形態の空調装置の暖房時を示す部分断面側面図。
【図６】室内側パネルの隙間側表面図。
【図７】図６のＸ-Ｘ断面図。
【図８】変形例における冷房時を示す側面図。
【図９】他の変形例における暖房時を示す側面図。
【符号の説明】
【００５０】
１・・・熱源機
２・・・一体型ラジエーター
３・・・室内側パネル
４・・・壁側パネル
５・・・化粧板
６・・・間接照明装置
７・・・パネル支持用アーム
８・・・壁
９・・・回転軸
１０・・・ラジエーター用リモートコントローラ／リモコン
２０・・・結露水受け皿
４５・・・断熱材
８１、８２・・・給気口
８５・・・フィルタ
８９・・・ファン
【図１】
0004974369.tif 000002
【図２】
0004974369.tif 000003
【図３】
0004974369.tif 000004
【図４】
0004974369.tif 000005
【図５】
0004974369.tif 000006
【図６】
0004974369.tif 000007
【図７】
0004974369.tif 000008
【図８】
0004974369.tif 000009
【図９】
0004974369.tif 000010